(57)【要約】【課題】モニタ画像を含む複数の画像の中から、外部装置へ出力する画像をその場で簡単に選択して出力することができるカメラ等を提供する。【解決手段】モニタ画像を含む画像を撮影し得る撮像素子５および撮像部６と、画像の撮影を制御する撮影制御部１ａと、画像を表示するための表示部９と、テレビジョン３２やパーソナルコンピュータ３０等の外部装置へ出力する画像を準備するための準備画面として、記録画像とモニタ画像とを複数の表示画像の中に含む画面を作成する準備画面作成部８ａと、準備画面を表示部９に表示させる表示制御部１ｂと、表示部９に表示されている準備画面上において複数の表示画像の中から選択された画像を外部装置へ出力画像として出力するように制御する出力画像制御部１ｃと、を備えたカメラ。【選択図】図１
2008060731.tif 000002
【特許請求の範囲】
【請求項１】
画像を表示するための表示部と、
外部装置へ出力する画像を準備するための準備画面として、記録画像とモニタ画像とを複数の表示画像の中に含む画面を作成する準備画面作成部と、
上記準備画面を上記表示部に表示させる表示制御部と、
上記表示部に表示されている準備画面上において上記複数の表示画像の中から選択された画像を、上記外部装置へ出力画像として出力するように制御する出力画像制御部と、
を具備したことを特徴とするカメラ。
【請求項２】
上記表示制御部は、上記出力画像を出力しているときにも、上記準備画面を上記表示部に表示させるものであることを特徴とする請求項１に記載のカメラ。
【請求項３】
上記準備画面を表示しているときに撮像指示を受けた場合には、上記モニタ画像に対応する画像を記録画像とするように制御する撮影制御部をさらに具備し、
上記準備画面作成部は、該モニタ画像に対応する画像として記録された画像を、上記複数の表示画像の中に含ませた新たな準備画面を作成するものであり、
上記表示制御部は、作成された新たな準備画面を上記表示部に表示させるものであることを特徴とする請求項１に記載のカメラ。
【請求項４】
上記準備画面作成部は、上記モニタ画像の表示サイズが上記記録画像の表示サイズよりも大きくなるように、上記準備画面を作成するものであることを特徴とする請求項１に記載のカメラ。
【請求項５】
上記準備画面作成部は、上記記録画像を縦方向と横方向との少なくとも一方に複数配列したマルチ画面形式として、上記準備画面を作成するものであることを特徴とする請求項１に記載のカメラ。
【請求項６】
上記準備画面作成部は、上記記録画像を撮影日時に基づきグループ化して配列したカレンダー形式として、上記準備画面を作成するものであることを特徴とする請求項１に記載のカメラ。
【請求項７】
画像を表示する表示部を備えたカメラにおける、外部装置へ出力する画像を選択するための出力画像選択方法であって、
外部装置へ出力する画像を準備するための準備画面として、記録画像とモニタ画像とを複数の表示画像の中に含む画面を作成し、
上記準備画面を上記表示部に表示させ、
上記表示部に表示されている準備画面上において上記複数の表示画像の中から選択された画像を、上記外部装置へ出力画像として出力する、
ことを特徴とする出力画像選択方法。
【請求項８】
画像を表示する表示部を備えたカメラにおける外部装置へ出力する画像を選択するための出力画像選択方法をコンピュータに実行させるためのプログラムであって、
上記出力画像選択方法は、
外部装置へ出力する画像を準備するための準備画面として、記録画像とモニタ画像とを複数の表示画像の中に含む画面を作成し、
上記準備画面を上記表示部に表示させ、
上記表示部に表示されている準備画面上において上記複数の表示画像の中から選択された画像を、上記外部装置へ出力画像として出力する、
方法であることを特徴とするプログラム。
【発明の詳細な説明】
【技術分野】
【０００１】
本発明は、画像を所望に選択して外部装置へ出力するカメラ、出力画像選択方法、プログラムに関する。
【背景技術】
【０００２】
従来より、銀塩カメラにより撮影された画像を鑑賞する方法としては、プリントを鑑賞する方法が一般的に知られている。
【０００３】
これに対してデジタルカメラは、画像が電子的な画像データとして生成されるために、印刷してプリントとして鑑賞する方法以外にも、様々な画像の鑑賞方法がある。
【０００４】
例えば、ほとんどのデジタルカメラには、カラーＬＣＤ等で構成される表示部が内蔵されているために、撮影した画像をこの表示部に表示して鑑賞する方法がある。
【０００５】
また、デジタルカメラには、パーソナルコンピュータ等の外部装置へ画像を出力するためのインターフェース（例えば、ＵＳＢ（Universal Serial Bus））が設けられたものが多い。こうしたタイプのデジタルカメラでは、画像データをパーソナルコンピュータへ送信して、該パーソナルコンピュータの画面に表示して鑑賞する方法がある。このとき、パーソナルコンピュータにプロジェクタを接続すれば、該プロジェクタにより画像を拡大表示して鑑賞するという利用法も可能となる。
【０００６】
さらに、デジタルカメラには、画像を家庭用テレビジョンに出力するためのビデオ出力端子が設けられたものがある。このようなタイプのデジタルカメラでは、ケーブルを介してデジタルカメラをテレビジョンに接続し、このテレビジョンに画像を表示させて鑑賞する、というようにも利用される。
【０００７】
一方、デジタルカメラにより撮影された画像を鑑賞するときの目的としては、個人で楽しむ目的が代表例として挙げられるのはもちろん、複数人で鑑賞する目的、あるいは業務の場面、例えば会議におけるプレゼンテーションや商品説明などにおいて利用する目的、なども比較的頻度の高い目的として挙げられる。
【０００８】
なお、近年では、撮影機能を備えていない再生専用の再生装置（いわゆるビューワ）が商品化されており、この再生装置にも、カラーＬＣＤ等で構成される表示部が内蔵されている。そして、この再生専用の再生装置も、画像を複数人で鑑賞したり、あるいは業務の場面で上述したように利用したり、することが行われている。
【０００９】
ここで、図１０を参照して、従来のデジタルカメラを画像表示可能な外部装置に接続したときの様子について説明する。図１０は、デジタルカメラに内蔵された表示部における表示画像と、外部装置に表示される表示画像と、の従来における対応の一例を示す図である。
【００１０】
デジタルカメラ１０１は、信号ケーブル１０３を介して、画像表示可能な外部装置１０２に接続されている。このとき、デジタルカメラ１０１に内蔵された表示部に表示されている画像１０１ａは、外部装置１０２に表示されている画像１０２ａと同一となっている。すなわち、デジタルカメラ１０１は、内蔵表示部に表示している画像と同一の画像を、外部装置へ出力するように構成されたものとなっている。こうして、この図１０に示すタイプのデジタルカメラは、内蔵された表示装置が、外部装置と同等であると位置付けられたものとなっている。
【００１１】
一方、図示はしないが、デジタルカメラに外部装置へ接続するための信号ケーブルが接続されたことが検出された場合には、内蔵表示部への表示を自動的に中止するようにして、節電を図るようにしたものがある。このようなタイプのデジタルカメラに外部装置を接続したときには、操作者は、外部装置の表示のみを見ながら、画像の送り操作等を行って所望の画像を表示することになる。
【００１２】
ところで、画像を再生するときの再生方法としては、操作者が記録媒体に記録された画像を１コマずつ再生する方法と、記録媒体に記録された画像が所定の順番で自動的に再生されるスライドショーの機能を用いて再生する方法と、がよく知られている。
【００１３】
これらの内のスライドショーをより使い易くする技術として、例えば特開２００３−２８８０６８号公報には、チェックボックスへのタッチに応じて、任意の画像のみを任意の順序でスライドショー表示させる技術が記載されている。
【００１４】
また、上述したプレゼンテーションを意識した表示方法として、例えば特開２００４−２６０７６８号公報には、操作者の操作方向に合わせて、該操作方向から見た撮影画像が表示されるようにした画像再生装置が記載されている。
【特許文献１】特開２００３−２８８０６８号公報
【特許文献２】特開２００４−２６０７６８号公報
【発明の開示】
【発明が解決しようとする課題】
【００１５】
ところで、画像を個人的に楽しむ場合には、上述したような１コマ再生やスライドショー等の再生で足りるのに対して、プレゼンテーションの場面では、不要な画像の再生を省略して、必要な画像のみをスピーディーに再生させたいという要望が多く、これらの再生では十分に機能を果たすとはいえない。なぜならば、プレゼンテーション等において多くの人に画像を見せるような場合には、見せる画像と見せない画像とを選択することができ、かつ画像を見せる順番についても任意に操作できることが必要になるためである。
【００１６】
しかし、上述したような従来のデジタルカメラでは、内蔵表示部に表示される画像と同一の画像が外部装置に表示されるか、あるいは内蔵表示部への表示が中止されて外部装置のみに画像が表示されるか、の何れかであったために、画像を操作者以外の人に見せる前に、その場で操作者の意思により画像を簡単に選択することができなかった。
【００１７】
さらに、予め記録媒体の編集を行っておくことにより、見せようとする画像のみを記録した記録媒体を準備しておいたとしても、上記従来のデジタルカメラでは、プレゼンテーションの最中に、該プレゼンテーション用に画像を追加したり変更したりすることはできなかった。従って、例えば、予め用意した資料映像に、プレゼンテーション会場におけるリアルタイム画像をその場で素早く組み合わせて表示させる、といったことができなかった。
【００１８】
このように、外部装置に接続してプレゼンテーション等に使用することができるようなカメラでは、外部装置へ出力する画像を操作者以外の人に見せる前に簡単に選択することができ、かつ、リアルタイムに撮影したモニタ画像もその場で見せる画像とすることができるようなカメラであることが求められている。
【００１９】
本発明は上記事情に鑑みてなされたものであり、モニタ画像を含む複数の画像の中から、外部装置へ出力する画像をその場で簡単に選択して出力することができるカメラ、出力画像選択方法、プログラムを提供することを目的としている。
【課題を解決するための手段】
【００２０】
上記の目的を達成するために、第１の発明によるカメラは、画像を表示するための表示部と、外部装置へ出力する画像を準備するための準備画面として記録画像とモニタ画像とを複数の表示画像の中に含む画面を作成する準備画面作成部と、上記準備画面を上記表示部に表示させる表示制御部と、上記表示部に表示されている準備画面上において上記複数の表示画像の中から選択された画像を上記外部装置へ出力画像として出力するように制御する出力画像制御部と、を具備したものである。
【００２１】
また、第２の発明によるカメラは、上記第１の発明によるカメラにおいて、上記表示制御部が、上記出力画像を出力しているときにも、上記準備画面を上記表示部に表示させるものである。
【００２２】
さらに、第３の発明によるカメラは、上記第１の発明によるカメラにおいて、上記準備画面を表示しているときに撮像指示を受けた場合には上記モニタ画像に対応する画像を記録画像とするように制御する撮影制御部をさらに具備し、上記準備画面作成部は、該モニタ画像に対応する画像として記録された画像を上記複数の表示画像の中に含ませた新たな準備画面を作成するものであり、上記表示制御部は、作成された新たな準備画面を上記表示部に表示させるものである。
【００２３】
第４の発明によるカメラは、上記第１の発明によるカメラにおいて、上記準備画面作成部が、上記モニタ画像の表示サイズが上記記録画像の表示サイズよりも大きくなるように上記準備画面を作成するものである。
【００２４】
第５の発明によるカメラは、上記第１の発明によるカメラにおいて、上記準備画面作成部が、上記記録画像を縦方向と横方向との少なくとも一方に複数配列したマルチ画面形式として、上記準備画面を作成するものである。
【００２５】
第６の発明によるカメラは、上記第１の発明によるカメラにおいて、上記準備画面作成部が、上記記録画像を撮影日時に基づきグループ化して配列したカレンダー形式として、上記準備画面を作成するものである。
【００２６】
第７の発明による出力画像選択方法は、画像を表示する表示部を備えたカメラにおける、外部装置へ出力する画像を選択するための出力画像選択方法であって、外部装置へ出力する画像を準備するための準備画面として記録画像とモニタ画像とを複数の表示画像の中に含む画面を作成し、上記準備画面を上記表示部に表示させ、上記表示部に表示されている準備画面上において上記複数の表示画像の中から選択された画像を上記外部装置へ出力画像として出力する方法である。
【００２７】
第８の発明によるプログラムは、画像を表示する表示部を備えたカメラにおける外部装置へ出力する画像を選択するための出力画像選択方法をコンピュータに実行させるためのプログラムであって、上記出力画像選択方法は、外部装置へ出力する画像を準備するための準備画面として記録画像とモニタ画像とを複数の表示画像の中に含む画面を作成し、上記準備画面を上記表示部に表示させ、上記表示部に表示されている準備画面上において上記複数の表示画像の中から選択された画像を上記外部装置へ出力画像として出力する方法である。
【発明の効果】
【００２８】
本発明のカメラ、出力画像選択方法、プログラムによれば、モニタ画像を含む複数の画像の中から、外部装置へ出力する画像をその場で簡単に選択して出力することが可能となる。
【発明を実施するための最良の形態】
【００２９】
以下、図面を参照して本発明の実施の形態を説明する。
【００３０】
図１から図９は本発明の一実施形態を示したものであり、図１はカメラに外部装置を接続したときの様子を示す斜視図である。
【００３１】
カメラ２１は、例えばデジタルカメラとして構成されたものであり、ケーブル３３を介して、外部装置であるテレビジョン３２に接続されている。
【００３２】
このカメラ２１は、例えば背面側に、カラーＬＣＤ等で構成される表示部９を備えている。この表示部９の右下側には、円周状に配設された十字キー１４と、この十字キー１４の中央に配設された確定ボタン１５と、が設けられている。ここに、十字キー１４は、上キー１４ｕ、下キー１４ｄ、右キー１４ｒ、左キー１４ｌを含んで構成されたものである。
【００３３】
また、カメラ２１の例えば右側面には、デジタル出力端子１２ａと、アナログ出力端子１２ｂとが設けられており、テレビジョン３２へ接続するためのケーブル３３は、これらの内のアナログ出力端子１２ｂに接続されている。
【００３４】
次に、図２は、外部装置が接続されているカメラ２１の構成を示すブロック図である。
【００３５】
カメラ２１は、ＣＰＵ１と、ＲＯＭ２と、本体操作部３と、レンズ部４と、撮像素子５と、撮像部６と、ＲＡＭ７と、画像処理部８と、上記表示部９と、記録媒体１０と、出力部１１と、上記デジタル出力端子１２ａおよびアナログ出力端子１２ｂと、バス１３と、を有して構成されている。
【００３６】
ＣＰＵ１は、このカメラ２１を統括的に制御するための制御部であり、撮影に係る制御を行うための撮影制御部１ａと、表示に係る制御を行うための表示制御部１ｂと、外部装置への画像の出力に係る制御を行うための出力画像制御部１ｃと、を有して構成されている。
【００３７】
ＲＯＭ２は、ＣＰＵ１により実行される制御プログラムや、このカメラ２１に用いられる各種のデータ等を記憶する不揮発性の記憶部であり、ＣＰＵ１と接続されている。
【００３８】
本体操作部３は、このカメラ２１に対する入力を行うためのものであり、上述した十字キー１４および確定ボタン１５を含むとともに、さらに、このカメラ２１に係る各種のモードを設定するための図示しないモードキー、撮像指示入力を行うための図示しないレリーズボタン、カメラ２１の電源をオン／オフするための電源スイッチ等を含んで構成されている。なお、モードキーにより設定可能なモードとしては、撮影モードや再生モード、あるいは後述するようなプレゼンテーションモード、または後述するような準備画面のマルチビューやカレンダービューなどがある。そして、この本体操作部３は、ＣＰＵ１と接続されている。
【００３９】
レンズ部４は、被写体の光像を結像するためのものである。
【００４０】
撮像素子５は、レンズ部４により結像された被写体光像を光電変換して電気的なアナログの画像信号を出力するものである。
【００４１】
撮像部６は、撮像素子５から出力されるアナログの画像信号に各種のアナログ信号処理を行った後に、デジタルの画像データに変換して出力するものである。
【００４２】
ＲＡＭ７は、ＣＰＵ１により作業用メモリとして用いられる揮発性の記憶部であり、撮像部６からの画像データを一時的に記憶するためにも用いられる。
【００４３】
画像処理部８は、ＲＡＭ７に記憶されている画像データに各種のデジタル画像処理を行うものである。この画像処理部８は、外部装置に出力する画像を準備するための準備画面を作成する準備画面作成部８ａを含んで構成されている。
【００４４】
表示部９は、上述した表示制御部１ｂの制御に基づいて、画像やこのカメラ２１に係る各種の情報を表示するためのものである。さらに、この表示部９は、表示制御部１ｂの制御に基づいて、準備画面作成部８ａにより作成された準備画面も表示するようになっている。
【００４５】
記録媒体１０は、撮像された画像を記録画像として記録し保持する不揮発性の記録媒体である。この記録媒体１０への画像の記録は、本体操作部３のレリーズボタンにより撮像指示入力があったときに、ＣＰＵ１の撮影制御部１ａの制御に基づいて行われるようになっている。
【００４６】
出力部１１は、ＣＰＵ１の出力画像制御部１ｃの制御に基づいて、画像処理部８から受信した画像データやＣＰＵ１から受信したその他のデータ等を外部装置へ出力するためのものであり、デジタル画像データ等のデジタルデータを出力するためのデジタル出力インタフェース（Ｉ／Ｆ）１１ａと、アナログ画像データ等のアナログデータを出力するためのアナログ出力インタフェース（Ｉ／Ｆ）１１ｂと、を有して構成されている。
【００４７】
デジタル出力端子１２ａは、デジタル出力インタフェース（Ｉ／Ｆ）１１ａからのデジタル画像データ等を外部装置へ出力するものである。この図２に示す例においては、デジタル画像データ等が出力される外部装置の例として、パーソナルコンピュータ３０およびこのパーソナルコンピュータ３０に接続されているプロジェクタ３１が図示されている。
【００４８】
アナログ出力端子１２ｂは、アナログ出力インタフェース（Ｉ／Ｆ）１１ｂからのデジタル画像データ等を外部装置へ出力するものである。この図２に示す例においては、アナログ画像データ等が出力される外部装置の例として、テレビジョン３２が図示されている。
【００４９】
バス１３は、ＣＰＵ１、撮像部６、ＲＡＭ７、画像処理部８、表示部９、記録媒体１０が相互に接続されたものであり、画像データや各種の命令等が転送されるようになっている。
【００５０】
次に、このようなカメラ２１の作用について説明する。
【００５１】
まず、撮影モードにおいて撮影を行うときの作用は、以下のようになっている。
【００５２】
本体操作部３の電源スイッチがオンされて、カメラ２１が撮影モードに設定されると、レンズ部４により結像された被写体像が撮像素子５により撮像され、撮像部６により処理された後にＲＡＭ７に記憶される。
【００５３】
このＲＡＭ７に記憶された画像は、表示制御部１ｂの制御に基づき、画像処理部８によりモニタ画像用に処理されて、表示部９へ出力される。こうして表示部９には、モニタ画像が表示される。
【００５４】
その後に、本体操作部３のレリーズボタンから撮像指示入力があると、撮影制御部１ａの制御に基づき、上述したように撮像素子５および撮像部６を介してＲＡＭ７に記憶された画像が、画像処理部８により記録画像用に処理されて、例えば圧縮処理等を施された後に記録媒体１０に記録される。なお、記録媒体１０に記録されている画像を記録画像と呼ぶことにする。
【００５５】
次に、再生モードにおいて記録画像の再生を行うときの作用は、以下のようになっている。
【００５６】
カメラ２１が再生モードに設定されると、表示制御部１ｂの制御に基づき、記録媒体１０に記録されている記録画像が読み出されて、画像処理部８により例えば伸張されてＲＡＭ７に記憶される。
【００５７】
このＲＡＭ７に記憶された画像は、画像処理部８により表示部９に表示するための画像として処理されて、表示部９へ出力される。こうして表示部９には、記録画像が再生して表示される。
【００５８】
このときに本体操作部３の例えば上述した十字キー１４を操作することにより、記録媒体１０に記録されている他の記録画像を再生することが可能となっている。
【００５９】
このカメラ２１は、上述したような撮影モードと再生モードとの何れにおいても、さらに本体操作部３のモードキーを操作してプレゼンテーションモードを設定することにより、準備画面を表示することができるようになっている。この準備画面は、例えばプレゼンテーション等を行う際に、表示部９に外部装置への出力候補となる複数の表示画像を表示して、操作者が簡単な操作を行うだけで所望の画像を選択し出力することができるようにした画面である。この準備画面の複数の表示画像には、記録画像が含まれるとともに、カメラ２１が撮影モードであるときにはモニタ画像も含まれるようになっている。このような準備画面を表示するときの作用は、以下のようになっている。
【００６０】
まず、再生モードにおいて、本体操作部３のモードキーが操作されて準備画面の表示が選択されると、表示制御部１ｂの制御に基づいて、準備画面作成部８ａは、記録媒体１０から複数の記録画像を読み出して、準備画面内に表示するための表示画像を生成する。そして、準備画面作成部８ａは、例えば、生成した表示画像を縦方向と横方向との少なくとも一方に複数配列して、マルチ画面形式の準備画面を作成する。なお、準備画面作成部８ａは、マルチ画面形式の準備画面に代えて、後述するようなカレンダー形式の準備画面を作成することもできるようになっている。
【００６１】
こうして作成された準備画面は、表示制御部１ｂの制御に基づき、表示部９へ出力されて表示される。準備画面が表示部９に表示された状態において、本体操作部３の例えば十字キー１４が操作されて何れかの表示画像がポイントされ、さらに確定ボタン１５が操作されてポイントされた表示画像が選択されると、出力画像制御部１ｃの制御に基づいて、記録媒体１０から該表示画像に対応する記録画像が読み出され、画像処理部８により必要に応じて伸張され、出力部１１へ出力される。
【００６２】
出力部１１は、出力画像制御部１ｃの制御に基づいて、デジタル出力端子１２ａに外部装置が接続されているときには、デジタル出力インタフェース１１ａを介して画像データの出力を行い、また、アナログ出力端子１２ｂに外部装置が接続されているときには、画像データをアナログ信号に変換した後に、アナログ出力インタフェース１１ｂを介して出力を行う。
【００６３】
また、撮影モードにおいて準備画面の表示が選択された場合には、準備画面作成部８ａは、記録画像に基づき表示画像を生成するとともに、さらに、撮像素子５および撮像部６によりリアルタイムに撮影されているモニタ画像に基づき表示画像を生成し、両方の表示画像を用いて準備画面を作成する点が異なっている。また、モニタ画像が追加されるために、準備画面のレイアウト等もやや異なるが、これについては具体例を参照しながら以下に説明する。
【００６４】
次に、図３〜図８を参照して、準備画面の幾つかの構成例について説明する。
【００６５】
まず、図３〜図５は、撮影モードにおけるマルチビュー準備画面の様子を示しており、図３は撮影モードのマルチビュー準備画面において記録画像が選択されたときの表示部９およびテレビジョン３２の様子を示す図、図４は撮影モードのマルチビュー準備画面において撮影指示入力があった直後の表示部９およびテレビジョン３２の様子を示す図、図５は撮影モードのマルチビュー準備画面においてモニタ画像が選択されたときの表示部９およびテレビジョン３２の様子を示す図である。
【００６６】
撮影モードのマルチビュー準備画面においては、図示のように、表示部９にモニタ画像４１が大きく（後述する記録画像４３の表示サイズよりも大きい表示サイズで）表示されるとともに、このモニタ画像４１の例えば下側に横長の記録画像領域４２が設けられている。
【００６７】
この記録画像領域４２には、複数の記録画像４３、これら図３〜図５に示す例においては４つの記録画像４３が横方向に配列されている。また、記録画像領域４２の左右両端部には、記録画像４３をスクロールすることが可能であることを示す三角形状のアイコンが表示されている。そして、これら各記録画像４３の例えば左上には、各記録画像４３の画像番号４５が表示されていて、記録画像領域４２への記録画像４３の表示は、図３（Ａ）に示すように、例えばこの画像番号４５の順に行われるようになっている。ただし、記録画像４３の表示順はこれに限るものではなく、適宜のソート順であれば良い。また、記録画像４３の表示順には例外があるが、これについては図４等を参照して後述する。
【００６８】
記録媒体１０に記録されている記録画像４３の数が４つよりも多い場合には、この記録画像領域４２に全ての記録画像４３を表示することができないために、例えば十字キー１４の上キー１４ｕおよび下キー１４ｄを操作することにより、記録画像領域４２内に表示される記録画像４３をスクロールすることができるようになっている。
【００６９】
また、記録画像領域４２の記録画像４３の何れかには、着目している（ポイントされている）ことを示すカーソル４４が表示されるようになっている。なお、図３〜図５に示す例においては、カーソル４４は、４隅に表示される太線となっているが、表示形態はこれに限るものではない。このカーソル４４は、例えば十字キー１４の左キー１４ｌおよび右キー１４ｒを操作することにより、一の記録画像４３から他の記録画像４３へ移動することができるようになっている。なお、記録画像領域４２内の左端の記録画像４３にカーソル４４が位置した状態でさらに左キー１４ｌを操作すると左方向へのスクロールを行うことができ、右端の記録画像４３にカーソル４４が位置した状態でさらに右キー１４ｒを操作すると右方向へのスクロールを行うことができるようになっている。
【００７０】
そして、外部装置に表示したい記録画像４３にカーソル４４が位置したところで、例えば確定ボタン１５を操作することにより、該記録画像が選択画像４３ａとなり、図３（Ｂ）に示すように外部装置である例えばテレビジョン３２に表示される。
【００７１】
次に、図３（Ａ）に示す状態において、本体操作部３のレリーズボタンから撮像指示入力があると、撮影制御部１ａによりモニタ画像４１に対応する画像を記録画像とするような制御が行われ、該制御に基づき画像処理部８による処理がなされる。これにより、モニタ画像４１に対応する画像が、新たな記録画像４３として記録媒体１０へ記録される。この新たな記録画像４３の画像番号４５を、ここでは「１０１」であるものとする（なお、画像番号を示す符号４３は、画像番号の数値（この例では「１０１」）と紛らわしいために、以下では符号４３を適宜省略する。）。
【００７２】
さらに、準備画面作成部８ａは、この新たな記録画像４３を記録画像領域４２の中に含ませた新たな準備画面を作成し、表示制御部１ｂが、作成された新たな準備画面を表示部９へ表示させる。
【００７３】
すなわち、図３（Ａ）に示す状態においては、画像番号「１２」から画像番号「１５」までの４つの記録画像４３が画像番号順に表示されているが、撮影モードの準備画面にモニタ画像４１が表示されているときに撮影して得られた新たな記録画像４３は、その画像番号に関わらず、図４（Ａ）に示すように、記録画像領域４２の例えば一番左側に表示されるようになっている。これにより、多くの枚数の記録画像４３をスクロール操作しなくても、撮影直後の新たな記録画像４３を直ちに選択することが可能となり、操作性が高まる。
【００７４】
画像番号「１０１」の新たな記録画像４３が記録画像領域４２に表示された後に、上述したように左キー１４ｌおよび右キー１４ｒを操作してカーソル４４をこの新たな記録画像４３に移動し、移動後に確定ボタン１５を操作したときの状態が、図４（Ａ）および図４（Ｂ）に示す状態である。なお、操作性をさらに高めるために、カーソル４４が新たな記録画像４３上に自動的に移動されるようにして、確定ボタン１５だけを操作すれば足りるようにしても良い。
【００７５】
そして、このときには、図４（Ｂ）に示すように、外部装置であるテレビジョン３２に、新たな記録画像４３が出力され表示されている。
【００７６】
次に、図５は、外部装置に出力する画像として、モニタ画像４１を選択しているときの様子を示している。
【００７７】
例えば図３（Ａ）に示した状態において、本体操作部３によりモニタ画像４１を選択する操作を行うと、図５（Ａ）に示すように、モニタ画像４１に新たなカーソル４６が表示されるとともに、図５（Ｂ）に示すように、選択されたモニタ画像４１が外部装置であるテレビジョン３２に表示されるようになっている。なお、このときには、記録画像用のカーソル４４は引き続きそのまま表示されている。
【００７８】
このように、撮影モードの準備画面においては、既に記録媒体１０に記録されている記録画像４３と、新たに撮影され記録媒体１０に記録された記録画像４３と、モニタ画像４１と、の何れかを外部装置へ出力する画像として択一的に選択することができるようになっている。
【００７９】
また、図６は、撮影モードの準備画面の他の例であるカレンダービュー準備画面とテレビジョン３２の画面との様子を示す図である。
【００８０】
撮影モードの準備画面としては、上述した図３〜図５に示したようなものの他に、例えばこの図６に示すようなカレンダービュー準備画面を選択することができるように構成されている。この選択操作は、本体操作部３を用いることにより行われる。
【００８１】
カレンダービュー準備画面は、図６（Ａ）に示すように、記録画像４３を撮影日時に基づきグループ化して配列したカレンダー形式の準備画面である。
【００８２】
このカレンダービュー準備画面が選択されると、表示部９には日付５１が曜日毎に順に表示される。すなわち、縦方向には同一の曜日の日付５１が並び、横方向には日付５１が昇順に並ぶ。
【００８３】
そして、日付５１の下にはサムネイル画像を表示する領域が設けられおり、該当する日付に撮影された記録画像４３がある場合には、該記録画像４３がサムネイル画像として表示される。なお、同一の日付５１に複数の記録画像４３が撮影されている場合には、さらに、その日付５１にカーソル４４Ａ（この図６に示す例においては、四辺を囲む太線として表示されている。）を移動させて確定ボタン１５を操作することにより、該日付５１に撮影された複数の記録画像４３が、例えば撮影時間順に表示される。
【００８４】
こうして、何れか１つの記録画像４３にカーソル４４Ａを移動させて確定ボタン１５を操作すると、該記録画像４３が選択画像４３ａとなり、この記録画像４３が外部装置へ出力されて、例えば図６（Ｂ）に示すように、外部装置としてのテレビジョン３２に表示される。
【００８５】
また、カレンダービュー準備画面には、モニタ画像４１Ａも表示されるようになっている。このモニタ画像４１Ａは、図３〜図５に示した例と同様に、記録画像４３よりも大きい表示サイズで表示される。このカレンダービュー準備画面は、日付５１毎の記録画像４３を表示するのに表示部９の表示領域のほぼ全部を要するために、この図６に示す例においては、モニタ画像４１Ａは日付５１の上に重畳されるように表示されている。ただし、このときには、そのままではモニタ画像４１Ａの下に位置する記録画像４３を見ることができないために、モニタ画像４１Ａは、例えば、記録画像４３が存在していない日付部分がある場合には、該日付部分に重畳するように表示される。また、記録画像４３が存在していない日付部分がないか、またはあっても領域として小さい場合には、例えば、カーソル４４Ａの移動に合わせて、該カーソル４４Ａとは重畳しない領域に自動的に移動されるようになっている。なお、モニタ画像４１Ａを手動で所望の位置に移動することができるように構成してももちろん構わない。
【００８６】
そして、図５を参照して説明したのと同様に、このモニタ画像４１Ａも外部機器へ出力する画像として選択することが可能であり、選択されたときには、図６（Ｃ）に示すように、外部装置としてのテレビジョン３２にモニタ画像が表示される。
【００８７】
次に、図７および図８は、再生モードにおけるマルチビュー準備画面の様子を示しており、図７は再生モードのマルチビュー準備画面において選択された記録画像が表示部９およびテレビジョン３２に表示されている様子を示す図、図８は再生モードのマルチビュー準備画面において記録画像が選択された直後の表示部９およびテレビジョン３２の様子を示す図である。
【００８８】
再生モードのマルチビュー準備画面は、図３〜図５に示したような撮影モードのマルチビュー準備画面と異なり、モニタ画像４１が存在していない。そして、図３〜図５においてモニタ画像４１が表示されている領域には、該モニタ画像４１に変えて、図７（Ａ）に示すように、現に外部装置であるテレビジョン３２へ出力されている画像６１（図７（Ｂ）も参照）が表示されている。この画像６１は、記録画像４３の１つであるために、該画像６１の左上には、画像番号４５が表示されている。
【００８９】
また、記録画像領域４２の様子は、カーソル４４Ａの形状を除いて、図３（Ａ）に示したものとほぼ同様である。
【００９０】
なお、図７（Ａ）に示す例においては、記録画像領域４２の左端に表示されている画像番号「１２」の記録画像４３が外部装置へ出力する画像６１となっているが、カーソル４４Ａはその右隣の画像番号「１３」の記録画像４３に位置している。カーソル４４Ａは、次に外部装置へ出力する画像を選択するためのポインタであるために、現に外部装置へ出力している画像とは独立して移動することが可能である。これは、上述した図３〜図６に示したカーソル４４，４４Ａについても同様である。従って、この図７に示す状態においては、着目している画像（画像番号「１３」の記録画像４３）がまだ確定されていないことがわかる。
【００９１】
次に、図８は、画像番号「１３」の記録画像４３上にカーソル４４Ａを移動した後に、確定ボタン１５を操作して選択したときの状態を示している。このときには、図８（Ａ）に示すように、画像番号「１３」の記録画像４３が現に外部装置へ出力されている画像６１となり、図８（Ｂ）に示すように、外部装置であるテレビジョン３２にも表示されている。
【００９２】
また、画像番号「１３」の記録画像４３が選択されると、この選択された記録画像４３が記録画像領域４２の左端に表示されるように、該記録画像領域４２内の各記録画像４３の表示が自動的に更新されるようになっている。従って、図８（Ａ）に示す例においては、図７（Ａ）に示した記録画像４３が１つずつ左へ移動して、図７（Ａ）において左端に位置していた画像番号「１２」の画像が記録画像領域４２から消えるとともに、記録画像領域４２の右端に画像番号「１６」の記録画像４３が新たに表示されている。
【００９３】
このような処理を行うことにより、次の記録画像４３を選択しようとする際のスクロール操作の手間を幾らか省略することが可能となる。なお、このような操作性は、図示はしないが、図３〜図５に示したような撮影モードのマルチビュー準備画面においても採用されている。
【００９４】
また、図６（Ａ）に示したようなカレンダービュー準備画面は、撮影モードのときだけでなく、図示はしないが、この再生モードにおいても同様に表示することが可能である。この再生モードにおけるカレンダービュー準備画面は、図６（Ａ）に示した撮影モードにおけるカレンダービュー準備画面から、モニタ画像４１Ａの表示を省略した準備画面となる。
【００９５】
続いて、図９はカメラ２１の作用を示すフローチャートである。
【００９６】
カメラ２１の電源がオンされるとこの処理が開始され、まず、ＣＰＵ１は、本体操作部３のモードキーにより、このカメラ２１がプレゼンテーションモードに設定されているか否かを判定する（ステップＳ１）。
【００９７】
ここで、プレゼンテーションモードに設定されていないと判定された場合には、通常の画面表示を行って（ステップＳ２）、適宜の時間間隔でステップＳ１の判定を行う。
【００９８】
また、ステップＳ１においてプレゼンテーションモードに設定されていると判定された場合には、さらに、ＣＰＵ１は、本体操作部３のモードキーにより、準備画面としてマルチビューが設定されているか否かを判定する（ステップＳ３）。
【００９９】
ここで、マルチビューが設定されていると判定された場合には、表示制御部１ｂの制御により、準備画面作成部８ａが図３（Ａ）等に示したようなマルチビュー準備画面を作成する（ステップＳ４）。
【０１００】
また、ステップＳ３において、マルチビューが設定されていないと判定された場合には、表示制御部１ｂの制御により、準備画面作成部８ａが図６（Ａ）に示したようなカレンダービュー準備画面を作成する（ステップＳ５）。
【０１０１】
ステップＳ４またはステップＳ５の何れかの処理が終了したら、表示制御部１ｂの制御に基づいて、準備画面作成部８ａにより作成された準備画面を表示部９に表示する（ステップＳ６）。
【０１０２】
続いて、ＣＰＵ１は、十字キー１４の左キー１４ｌまたは右キー１４ｒにより選択画像を変更する操作がなされたか否かを判定し（ステップＳ７）、変更する操作がなされたと判定された場合には表示制御部１ｂが準備画面作成部８ａを制御して、カーソル位置を移動する表示を行わせる（ステップＳ８）。
【０１０３】
このステップＳ８の処理が終了するか、またはステップＳ７において選択画像を変更する操作がなされていないと判定された場合には、ＣＰＵ１は、確定ボタン１５の操作により、外部装置へ出力する画像が決定されたか否かを判定する（ステップＳ９）。
【０１０４】
ここで、外部装置へ出力する画像が決定されたと判定された場合には、出力画像制御部１ｃの制御に基づき、出力部１１が選択された画像を出力する（ステップＳ１０）。
【０１０５】
このステップＳ１０の処理が終了するか、またはステップＳ９において外部装置へ出力する画像が決定されていないと判定された場合には、次に、このカメラ２１が撮影モードに設定されているか否かを判定する（ステップＳ１１）。
【０１０６】
ここで、撮影モードに設定されていると判定された場合には、さらに、本体操作部３のレリーズボタンから撮像指示入力があったか否かを判定する（ステップＳ１２）。
【０１０７】
このステップＳ１２において、撮像指示入力があったと判定された場合には、撮影制御部１ａの制御に基づいて、モニタ画像に対応する画像を記録媒体１０に記録画像として記録するとともに、表示制御部１ｂの制御に基づいて、準備画面作成部８ａが該画像を準備画面に追加し、表示部９に表示する（ステップＳ１３）。
【０１０８】
このステップＳ１３の処理が終了するか、ステップＳ１１において撮影モードに設定されていないと判定された場合、またはステップＳ１２において撮像指示入力がないと判定された場合には、ＣＰＵ１は、十字キー１４の上キー１４ｕまたは下キー１４ｄによりスクロールして記録画像を変更する操作がなされたか否かを判定する（ステップＳ１４）。
【０１０９】
このステップＳ１４において、記録画像を変更する操作がなされたと判定された場合には、画面をスクロールして、他の記録画像が表示されるようにする（ステップＳ１５）。
【０１１０】
このステップＳ１５の処理が終了するか、またはステップＳ１４において記録画像を変更する操作がなされていないと判定された場合には、ＣＰＵ１は、本体操作部３を介してこの一連の処理を終了する指示入力が行われたか否かを判定し（ステップＳ１６）、行われていない場合にはステップＳ１へ戻って上述したような処理を繰り返して行い、一方、一連の処理を終了する指示入力が行われた場合には終了する。
【０１１１】
なお、上述した例においては、マルチ画面形式の準備画面（マルチビュー準備画面）に複数の記録画像を横方向に配列したが、もちろんこれに限るものではなく、縦方向に配列しても構わないし、縦方向および横方向に２次元的に配列しても良い。
【０１１２】
また、上述では、記録画像が静止画像であるときを主に説明したが、記録画像が動画像であっても上述したような技術を適用することができる。このときには、動画像を構成する１コマ目を静止画像として準備画面に表示するようにしても良いし、サムネイル状の動画像を表示するようにしても構わない。従って、準備画面に表示する記録画像は、静止画像だけであっても良いし、動画像だけであっても構わないし、静止画像と動画像とが混在していても良い。従って、カメラは、デジタルカメラに限らずビデオカメラであっても良いし、カメラ機能を備えた種々の機器であっても構わない。
【０１１３】
さらに、記録画像としては、カメラ２１自体により撮影して得られた画像に限るものではなく、例えば外部装置であるコンピュータにより作成した表題等の文字画像やコンピュータグラフィックス画像であっても良い。このときには、作成された画像をカメラ２１内の記録媒体１０へ転送して、記録画像とすれば良い。
【０１１４】
このような実施形態によれば、カメラの準備画面には複数の記録画像が選択可能に表示されるとともに、これらの内の選択された画像のみが外部装置へ出力されるために、操作者は見せる画像と見せない画像とを容易に選択して、所望の順序で外部装置へ出力することができる。
【０１１５】
さらに、撮影モードの準備画面においては、モニタ画像が表示され、レリーズボタンを操作することにより記録画像として直ちに記録媒体に記録することができるとともに、外部装置へ出力することも可能となる。あるいは、モニタ画像自体をリアルタイムに外部装置へ出力することも可能である。従って、例えば、予め用意した資料映像に、プレゼンテーション会場におけるリアルタイム画像をその場で素早く組み合わせて表示させる、といったことも可能となる。
【０１１６】
そして、モニタ画像は、外部装置へ画像を出力しているときにもカメラの準備画面に表示されるために、レリーズボタンを操作するタイミングを逃すことがない。また、モニタ画像は、記録画像よりも大きいサイズで表示されるために、撮影の対象となる被写体を詳細に観察することができる。
【０１１７】
加えて、撮影モードの準備画面におけるモニタ画像を見ながら撮影した記録画像は、その画像番号に関わらず、撮影直後に準備画面内に表示されるために、多数の記録画像をスクロールする操作を要することなく、撮影した画像を直ちに簡単に選択することが可能となる。
【０１１８】
また、マルチ画面形式の準備画面においては、記録画像が複数配列されるために、これら複数の画像を一括して観察しながら、外部装置へ出力したい画像を所望に選択することが可能となる。
【０１１９】
一方、カレンダー形式の準備画面においては、記録画像が撮影日時に基づきグループ化して配列されているために、外部装置へ出力したい画像を操作性良く選択することが可能となる。
【０１２０】
なお、上述では、主としてカメラについて説明したが、上述したような技術をカメラにおける出力画像選択方法に適用することも可能であるし、プログラムによりこの出力画像選択方法をコンピュータに実行させるようにしても良い。
【０１２１】
また、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【０１２２】
本発明は、画像を所望に選択して外部装置へ出力するカメラ、出力画像選択方法、プログラムに好適に利用することができる。
【図面の簡単な説明】
【０１２３】
【図１】本発明の一実施形態のカメラに外部装置を接続したときの様子を示す斜視図。
【図２】上記実施形態において、外部装置が接続されているカメラの構成を示すブロック図。
【図３】上記実施形態の撮影モードのマルチビュー準備画面において記録画像が選択されたときの表示部およびテレビジョンの様子を示す図。
【図４】上記実施形態の撮影モードのマルチビュー準備画面において撮影指示入力があった直後の表示部およびテレビジョンの様子を示す図。
【図５】上記実施形態の撮影モードのマルチビュー準備画面においてモニタ画像が選択されたときの表示部およびテレビジョンの様子を示す図。
【図６】上記実施形態の撮影モードの準備画面の他の例であるカレンダービュー準備画面とテレビジョンの画面との様子を示す図。
【図７】上記実施形態の再生モードのマルチビュー準備画面において選択された記録画像が表示部およびテレビジョンに表示されている様子を示す図。
【図８】上記実施形態の再生モードのマルチビュー準備画面において記録画像が選択された直後の表示部およびテレビジョンの様子を示す図。
【図９】上記実施形態におけるカメラの作用を示すフローチャート。
【図１０】デジタルカメラに内蔵された表示部における表示画像と、外部装置に表示される表示画像と、の従来における対応の一例を示す図。
【符号の説明】
【０１２４】
１…ＣＰＵ
１ａ…撮影制御部
１ｂ…表示制御部
１ｃ…出力画像制御部
２…ＲＯＭ
３…本体操作部
４…レンズ部
５…撮像素子
６…撮像部
７…ＲＡＭ
８…画像処理部
８ａ…準備画面作成部
９…表示部
１０…記録媒体
１１…出力部
１１ａ…デジタル出力インタフェース
１１ｂ…アナログ出力インタフェース
１２ａ…デジタル出力端子
１２ｂ…アナログ出力端子
１３…バス
１４…十字キー
１４ｕ…上キー
１４ｄ…下キー
１４ｒ…右キー
１４ｌ…左キー
１５…確定ボタン
２１…カメラ
３０…パーソナルコンピュータ
３１…プロジェクタ
３２…テレビジョン
３３…ケーブル
４１，４１Ａ…モニタ画像
４２…記録画像領域
４３…記録画像
４３ａ…選択画像
４４，４４Ａ，４６…カーソル
４５…画像番号
５１…日付
６１…画像
【図１】
2008060731.tif 000003
【図２】
2008060731.tif 000004
【図３】
2008060731.tif 000005
【図４】
2008060731.tif 000006
【図５】
2008060731.tif 000007
【図６】
2008060731.tif 000008
【図７】
2008060731.tif 000009
【図８】
2008060731.tif 000010
【図９】
2008060731.tif 000011
【図１０】
2008060731.tif 000012